(57)【特許請求の範囲】
【請求項１】
開閉体に設けられるラッチ本体部と、枠体に設けられる被係止部とを備え、ラッチ本体部が被係止部に係止することで閉じ位置の開閉体の開き移動を規制するラッチ装置であって、
前記ラッチ本体部は、係止姿勢と非係止姿勢に回動自在で、その回動中心よりも面内方向における前記被係止部寄りに係止部とトリガ部を有し、かつ回動中心よりも面内方向における前記被係止部と反対側寄りに接触部を有したラッチと、このラッチの接触部が摺接することで前記被係止部に向かう力が付与されるラッチ回転部材とを有し、
このラッチは、その接触部が前記ラッチ回転部材の面を摺接しながら係止姿勢と非係止姿勢に回動すると共に、当該ラッチが係止姿勢のときには、係止部が被係止部に係止し、非係止姿勢のときには、係止部が被係止部と離れ、かつトリガ部が被係止部の開閉方向開き側面と対向し、
前記ラッチ回転部材におけるラッチの接触部が摺接する面は基準位置を有し、この基準位置を境として開閉方向閉じ側に接触部が接しているときには、ラッチに係止姿勢に向かう回転力が作用し、かつ開閉方向開き側に接触部が接しているときには、ラッチに非係止姿勢に向かう回転力が作用するようにし、
前記非係止姿勢のラッチが、面内方向において前記被係止部と離れる方向に移動すると、当該ラッチが係止姿勢に向けて回動し、接触部が、前記ラッチ回転部材の面における基準位置よりも開閉方向閉じ側に接するようにし、
前記基準位置は、ラッチの接触部が接したときにラッチ回転部材に付与された被係止部に向かう力によって、ラッチに、当該ラッチの回転中心に向かう力が作用する位置であることを特徴とするラッチ装置。
【請求項２】
開閉体に設けられるラッチ本体部と、枠体に設けられる被係止部とを備え、ラッチ本体部が被係止部に係止することで閉じ位置の開閉体の開き移動を規制するラッチ装置であって、
前記ラッチ本体部は、本体部材と、この本体部材に前記被係止部に接近、離隔する面内方向に移動自在に設けたラッチ取付部材と、このラッチ取付部材に開閉体の開閉方向に係止姿勢と非係止姿勢とに亘って回動自在に取り付けたラッチと、前記本体部材に対して面内方向に移動すると共に、回転突部を有したラッチ回転部材と、前記本体部材とラッチ取付部材との間に設けた第１ばねと、前記ラッチ取付部材とラッチ回転部材との間に設けた第２ばねとを備え、
前記ラッチは、その回動中心よりも被係止部寄りの面内方向一側寄りに、係止部とトリガ部とを有し、その係止部は開閉方向閉じ側で、トリガ部は開閉方向開き側となるように開閉方向に離隔し、
前記ラッチは、その回動中心よりも被係止部と反対側寄りの面内方向他側寄りに、接触部と、第１・第２位置決め部を有し、
このラッチは、その接触部が前記回転突部の表面に摺接してラッチ回転部材を第２ばねに抗して面内方向他側方向に移動しながら係止姿勢と非係止姿勢に回動すると共に、第１位置決め部と回転突部で非係止姿勢に位置決めされ、第２位置決め部と回転突部で係止姿勢に位置決めされ、当該ラッチが係止姿勢のときには、係止部が被係止部に係止し、非係止姿勢のときには、係止部が被係止部よりも面内方向他側寄りで、かつトリガ部が被係止部の開閉方向開き側面と対向し、
前記回転突部の表面は基準位置を有し、この基準位置を境として開閉方向閉じ側に接触部が接しているときには、ラッチに係止姿勢に向かう回転力が作用し、かつ開閉方向開き側に接触部が接しているときには、ラッチに非係止姿勢に向かう回転力が作用するようにし、
前記非係止姿勢のラッチがラッチ取付部材とともに面内方向他側方向に移動すると、当該ラッチが係止姿勢に向けて回動し、接触部が、前記回転突部の表面における基準位置よりも開閉方向閉じ側に接するようにし、
前記基準位置は、ラッチの接触部が接したときにラッチ回転部材に作用する面内方向一側方に向かう力によって、ラッチに、当該ラッチの回転中心に向かう力が作用する位置であることを特徴とするラッチ装置。
【請求項３】
前記ラッチ回転部材の接触部が摺接する面は、開閉体の開閉方向に沿った円弧形状で、その面の円弧の中心とラッチの回動中心を結ぶ直線が当該面と交差する位置を基準位置とした請求項１又は２記載のラッチ装置。
【請求項４】
前記ラッチ回転部材の接触部が摺接する面は、開閉体の開閉方向閉じ側の斜面と開き側の斜面を有する山形状で、
前記ラッチの回動中心を通る直線が前記閉じ側の斜面と直交する位置を基準位置とした請求項１又は２記載のラッチ装置。
【請求項５】
前記ラッチ本体部は前記開閉体の上部に設けられ、前記被係止部は前記枠体の上枠から下方に延出して設けられ、
前記非係止姿勢のラッチが、当該ラッチのトリガ部が被係止部の下端よりも下方位置まで移動したときに、ラッチの接触部が基準位置よりも開閉方向閉じ側に接するようにした請求項１〜４いずれか１項に記載のラッチ装置。
【請求項６】
枠体に開閉体を開閉自在に取り付けた建具であって、
前記開閉体に、請求項１〜５いずれか１項に記載のラッチ装置のラッチ本体部を取り付け、前記枠体に、請求項１〜５いずれか１項に記載のラッチ装置の被係止部を設けて請求項１〜５いずれか１項に記載のラッチ装置を有し、
前記開閉体が開き位置のときに、ラッチ本体部のラッチが非係止姿勢で、この状態で開閉体を閉じ移動するとラッチのトリガ部が被係止部に接して係止姿勢に向けて回動し、前記開閉体が閉じ位置のときに、前記ラッチが係止姿勢で、その係止部が被係止部に係止するようにしたことを特徴とする建具。
【発明の詳細な説明】
【技術分野】
【０００１】
本発明は、ラッチ装置、およびこのラッチ装置を備えた建具に関する。
【背景技術】
【０００２】
従来、枠体に開閉体を閉じ位置と開き位置とに亘って開閉移動自在に取り付けた建具にあっては、閉じ位置の開閉体の開移動を規制するラッチ装置を備えている。
このラッチ装置としては、特許文献１に開示したように、開閉体（障子）に取り付けたラッチ本体部と、枠体（上枠）に設けた被係止部（レール）を備え、このラッチ本体部はラッチを有し、そのラッチは係止部が被係止部よりも下方で、かつトリガ部が被係止部と対向した非係止姿勢と、係止部が被係止部と係止し、かつトリガ部が被係止部よりも下方の係止姿勢とに亘って回動するようにしたラッチ装置が提案されている。
【０００３】
このラッチ装置は、ラッチを非係止姿勢として開閉体を閉じ移動すると、トリガ部が被係止部に接してラッチが係止姿勢に向けて回動し、開閉体が閉じ位置となるラッチが係止姿勢に回動し、係止部が被係止部に係止し、開閉体を小さな操作力では開き側に移動しないように規制する。
閉じ位置の開閉体を開き移動する場合には、開閉体を大きな操作力で開き側に移動することで、ラッチが非係止姿勢に向けて回動し、開閉体が開き側に移動する。
そして、開閉体が開き側に移動すると、ラッチは非係止姿勢となる。
【先行技術文献】
【特許文献】
【０００４】
【特許文献１】特許第４１９１１４７号公報
【発明の概要】
【発明が解決しようとする課題】
【０００５】
前述した従来のラッチ装置は、図１２に示すように、外ケース１に上下動自在に設けた内ケース２にラッチ３を、前述の非係止姿勢と係止姿勢に回動するように取り付けてあり、その非係止姿勢のラッチ３は、内ケース２とともにトリガ部４が被係止部５よりも下方まで移動可能である。
このために、ラッチ３が図１２の姿勢のまま下方に下がった状態で開閉体６を閉じ移動すると、トリガ部４が被係止部５と接することなく、ラッチ３は非係止姿勢のままで被係止部５を越え、図１３に示すように、開閉体６が閉じ位置のときにラッチ３のトリガ部４が被係止部５に係止することがある。
この状態で、開閉体６を開き移動するとラッチ３は外ケース１に接して回動しないので、開閉体６を開き移動するには、内ケース２とともにラッチ３をばね７に抗して下方に移動し、トリガ部４を被係止部５よりも下方まで移動しなければならない。
したがって、開閉体６を開き側に移動する操作力が大きく、開閉体を開けづらくなってしまう。
【０００６】
本発明の目的は、非係止姿勢のラッチを移動すると、そのラッチは係止姿勢に回動し、非係止姿勢のままでラッチが被係止部を越えて閉じ側まで移動することがないようにしたラッチ装置、および建具とすることである。
【課題を解決するための手段】
【０００７】
本発明のラッチ装置は、開閉体に設けられるラッチ本体部と、枠体に設けられる被係止部とを備え、ラッチ本体部が被係止部に係止することで閉じ位置の開閉体の開き移動を規制するラッチ装置であって、前記ラッチ本体部は、係止姿勢と非係止姿勢に回動自在で、その回動中心よりも面内方向における前記被係止部寄りに係止部とトリガ部を有し、かつ回動中心よりも面内方向における前記被係止部と反対側寄りに接触部を有したラッチと、このラッチの接触部が摺接することで前記被係止部に向かう力が付与されるラッチ回転部材とを有し、このラッチは、その接触部が前記ラッチ回転部材の面を摺接しながら係止姿勢と非係止姿勢に回動すると共に、当該ラッチが係止姿勢のときには、係止部が被係止部に係止し、非係止姿勢のときには、係止部が被係止部と離れ、かつトリガ部が被係止部の開閉方向開き側面と対向し、前記ラッチ回転部材におけるラッチの接触部が摺接する面は基準位置を有し、この基準位置を境として開閉方向閉じ側に接触部が接しているときには、ラッチに係止姿勢に向かう回転力が作用し、かつ開閉方向開き側に接触部が接しているときには、ラッチに非係止姿勢に向かう回転力が作用するようにし、前記非係止姿勢のラッチが、面内方向において前記被係止部と離れる方向に移動すると、当該ラッチが係止姿勢に向けて回動し、接触部が、前記ラッチ回転部材の面における基準位置よりも開閉方向閉じ側に接するようにし、前記基準位置は、ラッチの接触部が接したときにラッチ回転部材に付与された被係止部に向かう力によって、ラッチに、当該ラッチの回転中心に向かう力が作用する位置であることを特徴とするラッチ装置ある。
【０００８】
本発明のラッチ装置は、開閉体に設けられるラッチ本体部と、枠体に設けられる被係止部とを備え、ラッチ本体部が被係止部に係止することで閉じ位置の開閉体の開き移動を規制するラッチ装置であって、前記ラッチ本体部は、本体部材と、この本体部材に前記被係止部に接近、離隔する面内方向に移動自在に設けたラッチ取付部材と、このラッチ取付部材に開閉体の開閉方向に係止姿勢と非係止姿勢とに亘って回動自在に取り付けたラッチと、前記本体部材に対して面内方向に移動すると共に、回転突部を有したラッチ回転部材と、前記本体部材とラッチ取付部材との間に設けた第１ばねと、前記ラッチ取付部材とラッチ回転部材との間に設けた第２ばねとを備え、前記ラッチは、その回動中心よりも被係止部寄りの面内方向一側寄りに、係止部とトリガ部とを有し、その係止部は開閉方向閉じ側で、トリガ部は開閉方向開き側となるように開閉方向に離隔し、前記ラッチは、その回動中心よりも被係止部と反対側寄りの面内方向他側寄りに、接触部と、第１・第２位置決め部を有し、このラッチは、その接触部が前記回転突部の表面に摺接してラッチ回転部材を第２ばねに抗して面内方向他側方向に移動しながら係止姿勢と非係止姿勢に回動すると共に、第１位置決め部と回転突部で非係止姿勢に位置決めされ、第２位置決め部と回転突部で係止姿勢に位置決めされ、当該ラッチが係止姿勢のときには、係止部が被係止部に係止し、非係止姿勢のときには、係止部が被係止部よりも面内方向他側寄りで、かつトリガ部が被係止部の開閉方向開き側面と対向し、前記回転突部の表面は基準位置を有し、この基準位置を境として開閉方向閉じ側に接触部が接しているときには、ラッチに係止姿勢に向かう回転力が作用し、かつ開閉方向開き側に接触部が接しているときには、ラッチに非係止姿勢に向かう回転力が作用するようにし、前記非係止姿勢のラッチがラッチ取付部材とともに面内方向他側方向に移動すると、当該ラッチが係止姿勢に向けて回動し、接触部が、前記回転突部の表面における基準位置よりも開閉方向閉じ側に接するようにし、前記基準位置は、ラッチの接触部が接したときにラッチ回転部材に作用する面内方向一側方に向かう力によって、ラッチに、当該ラッチの回転中心に向かう力が作用する位置であることを特徴とするラッチ装置とすることができる。
【０００９】
本発明のラッチ装置においては、前記ラッチ回転部材の接触部が摺接する面は、開閉体の開閉方向に沿った円弧形状で、その面の円弧の中心とラッチの回動中心を結ぶ直線が当該面と交差する位置を基準位置とすることができる。
【００１０】
本発明のラッチ装置においては、前記ラッチ回転部材の接触部が摺接する面は、開閉体の開閉方向閉じ側の斜面と開き側の斜面を有する山形状で、前記ラッチの回動中心を通る直線が前記閉じ側の斜面と直交する位置を基準位置とすることができる。
【００１１】
本発明のラッチ装置においては、前記ラッチ本体部は前記開閉体の上部に設けられ、前記被係止部は前記枠体の上枠から下方に延出して設けられ、前記非係止姿勢のラッチが、当該ラッチのトリガ部が被係止部の下端よりも下方位置まで移動したときに、ラッチの接触部が基準位置よりも開閉方向閉じ側に接するようにすることができる。
【００１２】
本発明の建具は、枠体に開閉体を開閉自在に取り付けた建具であって、
前記開閉体に、請求項１〜５いずれか１項に記載のラッチ装置のラッチ本体部を取り付け、前記枠体に、請求項１〜５いずれか１項に記載のラッチ装置の被係止部を設けて請求項１〜５いずれか１項に記載のラッチ装置を有し、
前記開閉体が開き位置のときに、ラッチ本体部のラッチが非係止姿勢で、この状態で開閉体を閉じ移動するとラッチのトリガ部が被係止部に接して係止姿勢に向けて回動し、前記開閉体が閉じ位置のときに、前記ラッチが係止姿勢で、その係止部が被係止部に係止するようにしたことを特徴とする建具である。
【発明の効果】
【００１３】
本発明のラッチ装置によれば、非係止姿勢のラッチを移動すると、そのラッチの接触部が基準位置よりも開閉方向閉じ側に接し、ラッチは係止姿勢に強制的に回転する。
したがって、ラッチが非係止姿勢のままで被係止部を越えて閉じ側まで移動することがない。
【図面の簡単な説明】
【００１４】
【図１】建具としての折れ戸の正面図である。
【図２】建具のラッチ装置の取付部分を拡大した詳細断面図である。
【図３】ラッチ装置の動作説明図である。
【図４】ラッチ装置の係止状態の説明図である。
【図５】ラッチに回転力が付与される動作説明図である。
【図６】ラッチ回転部材の他の実施の形態を示す断面図である。
【図７】ラッチ装置の動作説明図である。
【図８】非係止姿勢のラッチを押し下げた動作説明図である。
【図９】非係止姿勢のラッチを押し下げた動作説明図である。
【図１０】非係止姿勢のラッチを押し下げた動作説明図である。
【図１１】開閉体を閉じ状態からさらに閉じ側に移動した状態の断面図である。
【図１２】従来のラッチ装置の断面図である。
【図１３】従来のラッチ装置の不具合説明図である。
【発明を実施するための形態】
【００１５】
図１に示すように、枠体１０に開閉体２０を開閉自在に取り付けて建具としてある。
図１に示す建具は浴室用の折れ戸で、枠体１０は上枠１１と下枠１２と左右一方の縦枠１３と左右他方の縦枠１４を方形状に連結してある。
開閉体２０は、左右一方の障子２０ａと左右他方の障子２０ｂを有し、左右一方の障子２０ａの中央側の縦框２１と左右他方の障子２０ｂの中央側の縦框２２を折曲自在に連結してある。
左右一方の障子２０ａの戸尻側の縦框２３を、上枠１１、下枠１２に面外方向に回動自在に支持し、左右他方の障子２０ｂの戸先側の縦框２４を上枠１１、下枠１２に沿って面内方向に摺動自在に支承している。
【００１６】
そして、把手２５を持って左右他方の障子２０ｂに開き方向の操作力を付与し、その障子２０ｂを面外方向における枠体１０から離れる方向（浴室側）に引くことで、左右一方の障子２０ａと左右他方の障子２０ｂが連結部において浴室側に突出するように折れ曲がり、左右一方の障子２０ａが戸尻側の縦框２３を中心として浴室側に回動し、左右他方の障子２０ｂの戸先側の縦框２４が上枠１１、下枠１２に沿って面内方向の左右一方側に摺動することで、両方の障子２０ａ，２０ｂは重なり合って面外方向一側方である浴室側に張り出した開き位置に移動する。
前述の状態から把手２５を持って左右他方の障子２０ｂに閉じ方向の操作力を付与し、その障子２０ｂを面内方向の左右他方側に引張りながら脱衣室側に向けて押すことで、両方の障子２０ａ，２０ｂは図１に示す閉じ位置に移動する。
本発明の建具は、折れ戸に限ることはなく、開き戸、引き戸、内開き窓、外開き窓、内倒し窓、外倒し窓などでも良い。
つまり、本発明の建具は、開閉体２０が開き位置と閉じ位置に亘って移動する建具であれば良い。
【００１７】
左右一方の障子２０ａの中央側の縦框２１と上枠１１とに亘ってラッチ装置３０が取り付けてある。
このラッチ装置３０は、両方の障子２０ａ，２０ｂが閉じ位置のときに、把手２５を所定の操作力で引いても開き側に移動しようとして両方の障子２０ａ，２０ｂが開き側に移動しないようにして、開き移動を規制し、把手２５を所定の操作力よりも大きな操作力で引くことで両方の障子２０ａ，２０ｂが開き側に移動するようにしてある。
このラッチ装置３０は、中央側縦框２１と下枠１２に亘って取り付けても良いし、他方の中央側縦框２２と上枠１１とに亘って取り付けても良い。
【００１８】
図２は建具（折れ戸）のラッチ装置３０を取り付けた部分の拡大詳細断面図で、一方の障子２０ａ（縦框２１）を仮想線で図示し、枠体１０（上枠１１）を実線で図示している。
図２において、開閉体２０は面外方向（図２の左右方向）に開閉し、面外方向一側が閉じ側、面外方向他側が開き側であるので、面外方向を開閉方向、面外方向一側を開閉方向閉じ側、面外方向他側を開閉方向開き側とする。また、図２における上下方向が面内方向である。
図２に示すように、ラッチ装置３０は、一方の障子２０ａの中央側の縦框２１（つまり、開閉体２０）に設けられるラッチ本体部３０ａと、上枠１１（つまり、枠体１０）に設けられる被係止部３０ｂを備え、このラッチ本体部３０ａと被係止部３０ｂは図４に示す閉じ状態において面内方向である上下方向に対向している。
【００１９】
図２に示すように、上枠１１の面内方向の内側面１５は、その上枠１１の開閉方向に向かい、その内側面１５の開閉方向の中間に、前述の被係止部３０ｂである上レール１６を長手方向に連続して有し、その上枠１１の開閉方向閉じ側（図２の右側）には内側面１５よりも下方に突出した戸当り部１７を有し、この戸当り部１７に気密材１８が開閉方向開き側（図２の左側）に向けて開閉体２０である障子２０ａ，２０ｂと対向して取り付けてある。
【００２０】
ラッチ本体部３０ａは、そのラッチ本体部３０ａを縦框２１に取り付けるための本体部材、例えば外ケース３１と、この外ケース３１に面内方向（上下方向）に移動自在に設けたラッチ取付部材、例えば内ケース３２と、この内ケース３２を被係止部３０ｂに接近する面内方向一側方（上方）に移動する第１ばね３３と、この内ケース３２に開閉方向に向けて係止姿勢と非係止姿勢とに亘って回動自在に設けたラッチ３４と、外ケース３１に対して面内方向に移動可能なラッチ回転部材３５と、このラッチ回転部材３５を被係止部３０ｂに接近する面内方向一側方（上方）に移動する第２ばね３６を備えている。
【００２１】
外ケース３１は、面内方向一側面３１ａに開口した内ケース取付用の孔３１ｂを有し、この孔３１ｂに内ケース３２が面内方向に摺動可能に挿入されている。
この内ケース３２の面内方向他側部（下部）３２ａと外ケース３１の面内方向他側部（下部）３１ｃとの間に第１ばね３３が設けられている。この第１ばね３３はコイルばねである。
【００２２】
ラッチ３４は、内ケース３２の面内方向一側寄り（上部寄り）に、開閉方向と直角かつ水平な方向に向かう軸４０で面外方向に回動自在に取り付けてある。
このラッチ３４は、軸４０よりも面内方向一側寄り（上部寄り）における開閉方向閉じ側に係止部４１を有し、軸４０よりも面内方向一側寄りにおける開閉方向開き側にトリガ部４２を有し、ラッチ３４の軸４０よりも面内方向一側寄り部分は係止部４１とトリガ部４２でほぼＶ字形状もしくは凹形状となっている。
このラッチ３４の軸４０よりも面内方向他側寄り（下方寄り）における開閉方向閉じ側に第１位置決め部、例えば第１凹部４３を有し、軸４０よりも面内方向他側寄りにおける開閉方向開き側に第２位置決め部、例えば第２凹部４４を有している。
このラッチ３４の開閉方向における第１凹部４３と第２凹部４４との間の部分が面内方向他側方に向けて突出し、接触部４５としてある。
【００２３】
ラッチ回転部材３５は、内ケース３２で面内方向に移動自在に支承され、そのラッチ回転部材３５は面内方向一側方に向けて突出した回転突部５０を有している。
この回転突部５０にラッチ４３の第１凹部４３、第２凹部４４が嵌まり合うことでラッチ４３を前述の係止姿勢、非係止姿勢に位置決めして保持し、ラッチ４３が係止姿勢、非係止姿勢に回動するときに、その接触部４５が回転突部５０の表面５１に接触するようにしてある。
例えば、回転突部５０の表面５１を開閉方向に向けて湾曲した円弧面とし、ラッチ４３の第１・第２凹部４３，４４を円弧状凹部として回転突部５０が第１・第２凹部４３，４４に嵌まり合うようにしてある。
ラッチ４３の接触部４５を尖端形状としてある。
【００２４】
図２に示すラッチ４３は非係止姿勢で、係止部４１は被係止部３０ｂの面内方向他側面（下面）３０ｂ−１よりも面内方向他側（下方）に位置し、トリガ部４２は被係止部３０ｂの開閉方向開き側面３０ｂ−２と対向している。
ラッチ回転部材３５の回転突部５０は第１凹部４３に嵌まり合い、第２凹部４４は回転突部５０よりも面内方向一側方で、かつ開閉方向開き側に位置している。
このとき、第１ばね３３、第２ばね３６は自由長状態（もしくは圧縮状態）で内ケース３２、ラッチ回転部材３５を図２の位置に保持する。
【００２５】
図２に示す状態から一方の障子２０ａを、矢印ａで示す開閉方向閉じ側に移動すると、ラッチ３４のトリガ部４２が被係止部３０ｂの開閉方向開き側面３０ｂ−２に当接する。さらに一方の障子２ａを開閉方向閉じ側に移動すると、図３に示すようにラッチ３４は軸４０を中心として矢印ｂ方向に回転し、ラッチ３４の接触部４５が回転突部５０の表面５１に接触しながら、開閉方向閉じ側に向けて移動するので、ラッチ回転部材３５を第２ばね３６に抗して面内方向他側に向けて移動（押し下げる）する。
【００２６】
前述のようにラッチ回転部材３５が移動することで、第２ばね３６が圧縮されるので、その第２ばね３６の弾性復元力でラッチ回転部材３５には面内方向一側方（被係止部３０ｂ）に向かう移動力が付与される。
【００２７】
図３に示すように、ラッチ３４の係止部４１が被係止部３０ｂよりも開閉方向閉じ側に移動し、接触部４５が回転突部５０の表面５１における基準位置５１ａよりも閉じ側寄りに接触すると、ラッチ回転部材３５によってラッチ３４に対して矢印ｂ方向に強制的に回動される力が作用し、図４に示すようにラッチ３４は係止姿勢に回動し、係止部４１の開閉方向開き側面４１ａが被係止部３０ｂの開閉方向閉じ側面３０ｂ−３に接し（もしくは離隔して対向し）、係止部４１が被係止部３０ｂに係止する。
これと同時に、ラッチ回転部材３５の回転突部５０がラッチ３４の第２凹部４４に嵌まり合い、ラッチ３４を係止姿勢に位置決めして保持する。
【００２８】
前述のラッチ回転部材３５によってラッチ３４が矢印ｂ方向に回動される原理について説明する。
ラッチ回転部材３５に作用する前述の力Ｆによってラッチ３４には、その回転突部５０の表面５１におけるラッチ３４の接触部４５が接触した位置を通る接線と直角な方向の力を受ける。
前述の回転突部５０の表面５１における開閉方向の基準位置５１ａとは、図３、図５に示すようにラッチ３４の回動中心３４ａと回転突部５０の円弧状の表面５１の中心５１ｂを結ぶ直線Ａと表面５１が交差する位置である。つまり、基準位置５１ａを通る接線Ｂと直線Ａが直交する。
【００２９】
ラッチ３４の接触部４５が前述の基準位置５１ａに接触しているときには、前述の力Ｆにより、ラッチ３４には回転中心３４ａに向かう力が作用するので、ラッチ３４は回動しない。
図５に実線で示すように、ラッチ３４の接触部４５が、前述の基準位置５１ａよりも開閉方向閉じ側に接触すれば、ラッチ回転部材３５に作用する面内方向一側方に向かう力Ｆで、ラッチ３４に作用する力は、回転中心３４ａよりも開閉方向閉じ側に向かうから、その力でラッチ３４には矢印ｂ方向（開閉方向開き側）に向かう回転力が作用し、ラッチ３４は係止姿勢に向けて回動することになる。
【００３０】
図５に仮想線で示すように、ラッチ３４の接触部４５が前述の基準位置５１ａよりも開閉方向開き側に接触すれば、ラッチ回転部材３５に作用する前述の力Ｆで、ラッチ３４に作用する力は、回転中心３４ａよりも開閉方向開き側に向かうから、その力でラッチ３４には矢印ｃ方向（開閉方向閉じ側）に向かう回転力が作用し、ラッチ３４は非係止姿勢に向けて回動することになる。
【００３１】
前述のことは、回転突部５０の表面５１が円弧形状に限ることはなく、その表面５１が山形状の場合でも同様である。
例えば、図６に示すように、表面５１が頂部５１ｃを境として開閉方向閉じ側に向かう第１斜面５１ｄと開閉方向開き側に向かう第２斜面５１ｅで山形状の場合には、ラッチ３４の回転中心３４ａを通る直線Ｃが第１斜面５１ｄと直角に交差する位置が基準位置５１ａとなる。
【００３２】
ラッチ４３の接触部４５が図６の実線で示すように、回転突部５０の表面５１における基準位置５１ａよりも開閉方向閉じ側寄りに接していると、前述のように力Ｆによってラッチ３４には矢印ｂ方向に向かう回転力が作用し、ラッチ３４は係止姿勢に向けて回動する。
ラッチ４３の接触部４５が図６仮想線で示すように、回転突部５０の表面５１における基準位置５１ａよりも開閉方向開き側寄りに接していると、前述のように力Ｆによってラッチ３４には矢印ｃ方向に向かう回転力が作用し、ラッチ３４は非係止姿勢に向けて回動する。
ラッチ４３の接触部４５が基準位置５１ａに接しているときには、前述のようにラッチ３４は回動しない。
このようにした場合には、第１・第２凹部４３，４４をＶ字状として回転突部５０が嵌まり合うようにする。
【００３３】
つまり、回転突部５０の表面５１における前述した基準位置５１ａは、ラッチ３４の接触部４５が接触したときに、ラッチ回転部材３５に作用する面内方向一側方に向かう力Ｆによって、ラッチ３４に、当該ラッチ３４の回転中心３４ａに向かう力が作用する位置である。
【００３４】
図４に示す状態において一方の障子２０ａを矢印ｄで示す開閉方向開き側に移動すると、ラッチ３４の係止部４１の開閉方向開き側面４１ａが被係止部３０ｂの開閉方向閉じ側面３０ｂ−３に沿って滑りながら開閉方向開き側に移動するので、ラッチ３４は矢印ｃ方向に回動する。
そして、ラッチ３４の係止部４１が被係止部３０ｂよりも開閉方向開き側に移動し、ラッチ３４の接触部４５が回転突部５０の表面５１における前述の基準位置５１ａよりも開閉方向開き側に接触すると、ラッチ回転部材３５に作用する前述の力Ｆによってラッチ３４には矢印ｃ方向に向かう回転力が作用し、ラッチ３４は図２に示す非係止姿勢に回動し、回転突部５０が第１凹部４３に嵌まり合ってラッチ３４を非係止姿勢で位置決めして保持する。
【００３５】
したがって、図４に示す状態から一方の障子２０ａを開き側に移動するための操作力は大きいので、一方の障子２０ａを図４に示す閉じ位置において小さな操作力では開き側に移動しないように規制することができる。
【００３６】
また、図７に示すように、一方の障子２０ａが開き位置のときに、ラッチ３４が何らかの原因で係止姿勢となっていることがある。
この状態で一方の障子２０ａを矢印ａで示す開閉方向閉じ側に移動すると、ラッチ３４の係止部４１の開閉方向閉じ側面４１ｂが被係止部３０ｂの開閉方向開き側面３０ｂ−２に接し、その開き側面３０ｂ−２に沿って滑りながらラッチ３４は面内方向他側方（下方）に移動する。
【００３７】
これにより、ラッチ３４は内ケース３２とともに第１ばね３３に抗して面内方向他側方に移動し、係止部４１が被係止部３０ｂの開閉方向他側面３０ｂ−３を越えて開閉方向閉じ側まで移動することができる。
したがって、図４に示すように係止部４１を被係止部３０ｂに係止して一方の障子２０ａを閉じ位置で、小さな操作力で開き側に移動しないように規制して保持できる。
【００３８】
図２に示すように、一方の障子２０ａが開き位置で、ラッチ３４が非係止姿勢の状態で、ラッチ３４に面内方向他側方（下方）に向かう力Ｆａが負荷されながら一方の障子２０ａを開閉方向閉じ側に移動（閉じ移動）すると、図８に示すように、その力Ｆａによりラッチ３４とともに内ケース３２が第１ばね３３に抗して外ケース３１に対し、ラッチ３４（係止部４１）の開閉方向閉じ側面４１ｂが外ケース３１の開閉方向閉じ側の開口縁部３１ｄに接しながら面内方向他側方（下方）に移動するから、ラッチ３４は矢印ｃ方向に回動する。
【００３９】
ラッチ３４が矢印ｃ方向に回動することで、その接触部４５がラッチ回転部材３５の回転突部５０の表面５１に接しながら開閉方向閉じ側に順次移動し、ラッチ回転部材３５を内ケース３２に対して第２ばね３６に抗して面内方向他側方（下方）に移動する。
これにより、ラッチ回転部材３５には面内方向一側方（上方）に向かう力Ｆが生じる。
【００４０】
図９に示すように、内ケース３２とともにラッチ３４が、そのトリガ部４２が被係止部３０ｂの面内方向他側面（下面）３０ｂ−１よりも下方となるまで移動すると、そのラッチ３４の接触部４５の回転突部５０の表面５１の接触位置は、その表面５１における基準位置５１ａよりも開閉方向閉じ側となる。
これにより、ラッチ回転部材３５の前述の力Ｆによってラッチ３４には矢印ｃ方向の回転力が作用し、ラッチ３４は図１０に示すように係止姿勢に回動する。
一方の障子２０ａが閉じ位置に移動し、この状態でラッチ３４に対する力Ｆａの負荷が解除されると、ラッチ３４とともに内ケース３２が面内方向一側方に移動し、図４に示すようにラッチ３４の係止部４１が被係止部３０ｂに係止する。
【００４１】
このようであるから、一方の障子２０ａが開き位置で、ラッチ３４が非係止姿勢の状態で、何らかの事情によりラッチ３４が面内方向他側方（下方）に移動されながら一方の障子２０を開閉方向閉じ側に向けて移動（閉移動）したときに、ラッチ３４は係止姿勢に回動し、一方の障子２０ａが閉じ位置のときにラッチ３４が面内方向一側方に移動すると係止姿勢のラッチ３４の係合部４１が被係止部３０ｂに係合する。
したがって、非係止姿勢のままでラッチ３４が被係止部３０ｂを越えて閉じ側まで移動することがなく、一方の障子２０ａを開けづらくなることがない。
【００４２】
図２に示すように、ラッチ３４のトリガ部４２は、開閉方向閉じ側面４２ａと開閉方向開き側面４２ｂと面外方向一側面（先端面）４２ｃを有した断面略矩形状である。
そのトリガ部４２の開閉方向の幅寸法は、図４に示す閉じ位置の障子が、さらに開閉方向閉じ側に向けて最大限移動したときに、そのトリガ部４２が被係止部３０ｂを越えて開閉方向閉じ側に移動しないようにしてある。
【００４３】
例えば、図４に示す障子閉じ状態において、一方の障子２０ａに開閉方向閉じ側に向かう衝撃力（大きな力）が負荷すると、一方の障子２０ａは気密材１８を圧縮変形して開閉方向閉じ側に向けて移動する。
そして、図１１に示すように、気密材１８を最大限圧縮変形した最大位置まで移動したときに、そのトリガ部４２が被係止部３０ｂを越えることがなく、トリガ部４２の面内方向一側面（上面）４２ｃが被係止部３０ｂの面内方向他側面（下面）３０ｂ−１に当たる。
【００４４】
前述の衝撃力がなくなると、気密材１８の弾性復元力で一方の障子２０ａが開閉方向開き側に移動し、ラッチ３４のトリガ部４２が被係止部３０ｂよりも開閉方向開き側に移動し、係止部４１が被係止部３０ｂに係止する。
【００４５】
したがって、障子が閉じ位置でラッチ３４の係止部３４ｂが被係止部３０ｂに係止している正常の状態において、障子に衝撃力が負荷して開閉方向閉じ側に移動したときに、トリガ部４２が被係止部３０ｂを越えて開閉方向閉じ側まで移動することがない。
なお、回転突部５０の円弧状の表面５１は、中心が１つの円弧に限らず、複数の中心を有した円弧や楕円などでも良い。
【符号の説明】
【００４６】
１０…枠体、１１…上枠、２０…開閉体、３０…ラッチ装置、３０ａ…ラッチ本体部、３０ｂ…被係止部、３１…外ケース（本体部材）、３２…内ケース（ラッチ取付部材）、３３…第１ばね、３４…ラッチ、３５…ラッチ回転部材、３６…第２ばね、４０…軸、４１…係止部、４２…トリガ部、４３…第１凹部（第１位置決め部）、４４…第２凹部（第２位置決め部）、４５…接触部、５０回転突部、５１…表面（摺接する面）、５１ａ…基準位置。
【図１】
0005454941.tif 000002
【図２】
0005454941.tif 000003
【図３】
0005454941.tif 000004
【図４】
0005454941.tif 000005
【図５】
0005454941.tif 000006
【図６】
0005454941.tif 000007
【図７】
0005454941.tif 000008
【図８】
0005454941.tif 000009
【図９】
0005454941.tif 000010
【図１０】
0005454941.tif 000011
【図１１】
0005454941.tif 000012
【図１２】
0005454941.tif 000013
【図１３】
0005454941.tif 000014